(57)【特許請求の範囲】
【請求項１】
エンジン（Ｅ）のクランクシャフト（１９）と一体に回転するポンプ（１４１）を有するトルクコンバータ（４５）と、エンジン（Ｅ）のクランクケース（３３）内に収容されて複数変速段の歯車列（Ｇ１〜Ｇ３，ＧＲ）を択一的に確立し得る歯車変速機（４６）と、該歯車変速機（４６）の入力軸（５０）および前記トルクコンバータ（４５）のタービン（１４３）間での動力伝達を遮断可能なクラッチ（４７）とを備える車両の動力伝達装置において、
相互に平行な軸線を有するクランクシャフト（１９）および前記入力軸（５０）が前記クランクケース（３３）に回転自在に支承され、前記トルクコンバータ（４５）が、前記クランクケース（３３）から突出した前記クランクシャフト（１９）の一端部に装着され、そのトルクコンバータ（４５）と同じ側で前記クランクケース（３３）から突出した前記入力軸（５０）の一端部には、前記クランクシャフト（１９）の軸線方向で該トルクコンバータ（４５）からずれた位置に配置されて油圧で作動する前記クラッチ（４７）が、前記クランクシャフト（１９）の軸線方向から見て前記トルクコンバータ（４５）に一部を重ねるようにして装着され、前記トルクコンバータ（４５）のタービン（１４３）に結合されて前記クランクシャフト（１９）上に回転自在に支持されるタービン軸（１４５）の、前記クラッチ（４７）寄りの端部に駆動歯車（１４６）が固着され、前記クラッチ（４７）よりも小径に形成されて前記駆動歯車（１４６）に噛合する被動歯車（１３９）が前記クラッチ（４７）の、前記トルクコンバータ（４５）寄りの端部に連結されることを特徴とする、車両の動力伝達装置。
【請求項２】
前記クラッチ（４７）が、前記クランクシャフト（１９）の軸線方向で前記トルクコンバータ（４５）と前記クランクケース（３３）との間に配置され、前記入力軸（５０）の前記一端部には、前記クラッチ（４７）の油圧室（１３６）に通じて該入力軸（５０）と同軸に延びる油路（１７７）が形成され、この油路（１７７）を介して前記クラッチ（４７）に給油すべく前記トルクコンバータ（４５）の側方で前記入力軸（５０）と同軸に直線状に延びる給油管（１７９）が、前記トルクコンバータ（４５）およびクラッチ（４７）を覆って前記クランクケース（３３）に結合されるカバー（３７）と、前記入力軸（５０）の一端部との対向面間に挟持されていて、該給油管（１７９）の一端が前記入力軸（５０）内の前記油路（１７７）に、また該給油管（１７９）の他端が前記カバー（３７）内の油路（１７８）にそれぞれ直接連通していることを特徴とする、請求項１記載の車両の動力伝達装置。
【請求項３】
前記クラッチ（４７）に作用せしめる油圧を制御するクラッチ用制御弁（１６６）が、前記給油管（１７９）に接続されて前記カバー（３７）に設けられることを特徴とする請求項１又は２記載の車両の動力伝達装置。
【請求項４】
前記クラッチ（４７）が、前記被動歯車（１３９）が連結されて前記入力軸（５０）の軸線まわりに回転するクラッチセンタ（１３０）と、該クラッチセンタ（１３０）の外周に相対回転不能に噛合される第１クラッチ板（１３１）と、第１クラッチ板（１３１）に重合配置される第２クラッチ板（１３２）と、第１および第２クラッチ板（１３１，１３２）を収容するとともに第２クラッチ板（１３２）の外周を相対回転不能に噛合せしめて前記入力軸（５０）と一体に回転するクラッチドラム（１３３）と、第１および第２クラッチ板（１３１，１３２）を摩擦係合せしめることを可能として前記クラッチドラム（１３３）に摺動自在に嵌合されるピストン（１３４）とを備えることを特徴とする請求項１〜３の何れかに記載の車両の動力伝達装置。
【請求項５】
前記クラッチセンタ（１３０）および前記入力軸（５０）間に、前記入力軸（５０）からクラッチセンタ（１３０）への動力伝達を可能とした第１一方向クラッチ（１４０）が設けられることを特徴とする請求項４記載の車両の動力伝達装置。
【請求項６】
前記トルクコンバータ（４５）のステータ（１４２）が一方向に回転することを許容する第２一方向クラッチ（１４８）が前記ステータ（１４２）およびクランクケース（３３）間に設けられ、前記駆動歯車（１４６）が、前記クランクシャフト（１９）の軸方向に沿って前記第２一方向クラッチ（１４８）および前記トルクコンバータ（４５）間に配置され、前記クラッチ（４７）が、前記クラッチドラム（１３３）の少なくとも一部を前記クランクシャフト（１９）の軸線方向に沿って前記第２一方向クラッチ（１４８）の側方に隣接させて前記入力軸（５０）の一端部に装着されることを特徴とする請求項４又は５記載の車両の動力伝達装置。
【請求項７】
前記トルクコンバータ（４５）のステータ（１４２）に結合されて前記クランクシャフト（１９）に回転自在に支持されるステータ軸（１４４）が、前記駆動歯車（１４６）の内周部を貫通して前記クラッチ（４７）の外周部に臨む位置まで延出していて、その延出端部と前記クランクケース（３３）との間に、該ステータ軸（１４４）が一方向に回転することを許容する第２一方向クラッチ（１４８）が設けられることを特徴とする請求項２に記載の車両の動力伝達装置。
【発明の詳細な説明】
【０００１】
【発明の属する技術分野】
本発明は、エンジンのクランクシャフトと一体に回転するポンプを有するトルクコンバータと、複数変速段の歯車列を択一的に確立し得る歯車変速機と、該歯車変速機の入力軸および前記トルクコンバータのタービン間での動力伝達を遮断可能なクラッチとを備える車両の動力伝達装置に関する。
【０００２】
【従来の技術】
従来、かかる動力伝達装置は、たとえば特開昭４７−４０７１７号公報等で既に知られている。
【０００３】
【発明が解決しようとする課題】
上記従来の動力伝達装置では、クランクシャフトと、歯車変速機の入力軸とが同軸上に配置され、トルクコンバータ、クラッチおよび歯車変速機が直列に配置されており、このような配列の動力伝達装置は、エンジンのクランクケースと、変速機のミッションケースとが別体である場合には都合がよい。しかるにエンジンのクランクケース内に歯車変速機が収容される構成の動力伝達装置に、そのような配列を適用すると、クランクシャフトの軸線に沿う方向で動力伝達装置が大きくなり、車両への動力伝達装置の搭載性が悪化する。特に不整地走行用鞍乗型車両に搭載する場合に、クランクシャフトの軸線を車両の幅方向に沿わせたときにはステップ幅が広がって乗車姿勢の悪化を招き、クランクシャフトの軸線を車両の前後方向に沿わせたときには車両の重心位置が前方に移動して操向ハンドルの操作荷重増大を招くことになる。
【０００４】
本発明は、かかる事情に鑑みてなされたものであり、クランクケース内に歯車変速機が収容されるように構成した上で、クランクシャフトの軸線に沿う方向でコンパクト化を図った車両の動力伝達装置を提供することを目的する。
【０００５】
【課題を解決するための手段】
上記目的を達成するために、請求項１記載の発明は、エンジンのクランクシャフトと一体に回転するポンプを有するトルクコンバータと、エンジンのクランクケース内に収容されて複数変速段の歯車列を択一的に確立し得る歯車変速機と、該歯車変速機の入力軸および前記トルクコンバータのタービン間での動力伝達を遮断可能なクラッチとを備える車両の動力伝達装置において、相互に平行な軸線を有するクランクシャフトおよび前記入力軸が前記クランクケースに回転自在に支承され、前記トルクコンバータが、前記クランクケースから突出した前記クランクシャフトの一端部に装着され、そのトルクコンバータと同じ側で前記クランクケースから突出した前記入力軸の一端部には、前記クランクシャフトの軸線方向で該トルクコンバータからずれた位置に配置されて油圧で作動する前記クラッチが、前記クランクシャフトの軸線方向から見て前記トルクコンバータに一部を重ねるようにして装着され、前記トルクコンバータのタービンに結合されて前記クランクシャフト上に回転自在に支持されるタービン軸の、前記クラッチ寄りの端部に駆動歯車が固着され、前記クラッチよりも小径に形成されて前記駆動歯車に噛合する被動歯車が前記クラッチの、前記トルクコンバータ寄りの端部に連結されることを特徴とする。
【０００６】
このような請求項１記載の発明の構成によれば、相互に平行であるクランクシャフトおよび入力軸にトルクコンバータおよびクラッチがそれぞれ装着されるので、クランクケース内に歯車変速機が収容されるように構成した動力伝達装置を、クランクシャフトの軸線に沿う方向でコンパクト化することが可能である。しかもクラッチをクランクシャフト側に近接させて配置することができ、クランクシャフトの軸線に直交する方向での動力伝達装置の大型化も抑えることができる。
【０００７】
また請求項２記載の発明は、上記請求項１記載の発明の構成に加えて、前記クラッチが、前記クランクシャフトの軸線方向で前記トルクコンバータと前記クランクケースとの間に配置され、前記入力軸の前記一端部には、前記クラッチの油圧室に通じて該入力軸と同軸に延びる油路が形成され、この油路を介して前記クラッチに給油すべく前記トルクコンバータの側方で前記入力軸と同軸に直線状に延びる給油管が、前記トルクコンバータおよびクラッチを覆って前記クランクケースに結合されるカバーと、前記入力軸の一端部との対向面間に挟持されていて、該給油管の一端が前記入力軸内の前記油路に、また該給油管の他端が前記カバー内の油路にそれぞれ直接連通していることを特徴とし、かかる構成によれば、上記クラッチに給油すべくトルクコンバータの側方で入力軸と同軸に直線状に延びる給油管が、トルクコンバータおよびクラッチを覆ってクランクケースに結合されるカバーと、入力軸の一端部との間に設けられるので、トルクコンバータの側方に生じるスペースを有効に活用してクラッチへの作動油給油系を構成することができる。
【０００８】
また請求項３記載の発明は、上記請求項１又は２記載の発明の構成に加えて、前記クラッチに作用せしめる油圧を制御するクラッチ用制御弁が、前記給油管に接続されて前記カバーに設けられることを特徴とし、かかる構成によれば、クラッチおよびクラッチ用制御弁が相互に近い位置に配置されることになり、クラッチ用制御弁の作動によるクラッチの作動応答性を向上することができる。
【０００９】
請求項４記載の発明は、上記請求項１〜３の何れかに記載の発明の構成に加えて、前記クラッチが、前記トルクコンバータのタービンと一体に回転する駆動歯車に噛合する被動歯車が連結されて前記入力軸の軸線まわりに回転するクラッチセンタと、該クラッチセンタの外周に相対回転不能に噛合される第１クラッチ板と、第１クラッチ板に重合配置される第２クラッチ板と、第１および第２クラッチ板を収容するとともに第２クラッチ板の外周を相対回転不能に噛合せしめて前記入力軸と一体に回転するクラッチドラムと、第１および第２クラッチ板を摩擦係合せしめることを可能として前記クラッチドラムに摺動自在に嵌合されるピストンとを備えることを特徴とし、かかる構成によれば、比較的大径となるクラッチドラムを有するクラッチを、クランクシャフトの軸線に沿って前記トルクコンバータに隣接する位置でクラッチドラムがクランクシャフトに干渉しないようにして効果的に配置することができる。
【００１０】
請求項５記載の発明は、上記請求項４記載の発明の構成に加えて、前記クラッチセンタおよび前記入力軸間に、前記入力軸からクラッチセンタへの動力伝達を可能とした第１一方向クラッチが設けられることを特徴とし、かかる構成によれば、エンジンブレーキ時に歯車変速機側からの動力をトルクコンバータ側に伝達することができる。
【００１１】
さらに請求項６記載の発明は、上記請求項４又は５記載の発明の構成に加えて、前記トルクコンバータのステータが一方向に回転することを許容する第２一方向クラッチが前記ステータおよびクランクケース間に設けられ、前記駆動歯車が、前記クランクシャフトの軸方向に沿って前記第２一方向クラッチおよび前記トルクコンバータ間に配置され、前記クラッチが、前記クラッチドラムの少なくとも一部を前記クランクシャフトの軸線方向に沿って前記第２一方向クラッチの側方に隣接させて前記入力軸の一端部に装着されることを特徴とし、かかる構成によれば、第２一方向クラッチでステータの空転を許容するようにしてトルクコンバータの効率を向上することが可能となり、しかもクラッチドラムの少なくとも一部に対応して該クラッチドラムおよびクランクシャフト間に生じるスペースに、比較的小径である第２一方向クラッチを有効に配置することができる。
【００１２】
さらに請求項７記載の発明は、上記請求項２に記載の発明の構成に加えて、前記トルクコンバータのステータに結合されて前記クランクシャフトに回転自在に支持されるステータ軸が、前記駆動歯車の内周部を貫通して前記クラッチの外周部に臨む位置まで延出していて、その延出端部と前記クランクケースとの間に、該ステータ軸が一方向に回転することを許容する第２一方向クラッチが設けられることを特徴とする。
【００１３】
【発明の実施の形態】
以下、本発明の実施形態を、添付図面に示した本発明の実施例に基づいて説明する。
【００１４】
図１〜図９は本発明の第１実施例を示すものであり、図１は不整地走行用鞍乗型車両の側面図、図２は図１の２矢視方向から見たパワーユニットの簡略化した拡大図、図３は図１の３矢視方向から見たパワーユニットの簡略化した拡大図、図４は図２のＡ−Ａ線に沿う断面のうち前半部を示す断面図、図５は図２のＡ−Ａ線に沿う断面のうち後半部を示す断面図、図６は図２の６−６線断面図、図７は図６の７−７線拡大断面図、図８はシフトチェンジ機構の一部の分解斜視図、図９は油圧回路図である。
【００１５】
先ず図１において、この不整地走行用鞍乗型車両は、鋼管を溶接して構成される車体フレーム１５を備えており、バルーン型低圧タイヤをそれぞれ装着した左、右一対の前輪ＷＦ…が車体フレーム１５の前部に懸架され、バルーン型低圧タイヤをそれぞれ装着した左、右一対の後輪ＷＲ…が車体フレーム１５の後部に懸架される。また車体フレーム１５の前端には、左、右一対の前輪ＷＦ…を操向する操向ハンドル１６が配設され、車体フレーム１５の前後方向中間部には燃料タンク１７が配設され、該燃料タンク１７よりも後方側で車体フレーム１５の上部には跨座式のシート１８が配設される。
【００１６】
前記燃料タンク１７およびシート１８の下方で車体フレーム１５には、操向輪であるとともに駆動輪である前輪ＷＦ…と、駆動輪である後輪ＷＲ…とを駆動するエンジンＥを含むパワーユニットＰが搭載される。エンジンＥは、クランクシャフト１９（図２〜図６参照）を鞍乗型車両の前後方向に沿わせて、たとえば縦型に配置されるものであり、エンジンＥにおけるシリンダヘッド２０の前面側に設けられた排気ポート（図示せず）に連なる排気管２１が、車体フレーム１５の右側に１８０度彎曲してパワーユニットＰの右側を後方に延出され、車体後部右側に配置される排気マフラー２２に接続される。
【００１７】
前記エンジンＥの後方側で前記シート１８の下方には、エアクリーナ２３と、該エアクリーナ２３に接続される気化器２４とが配置されており、前記シリンダヘッド２０の後面側に設けられた吸気ポート（図示せず）に、前記気化器２４が接続される。
【００１８】
図２〜図５を併せて参照して、エンジンＥのシリンダブロック２８は、車体右側にわずかに傾斜してほぼ直立しており、シリンダヘッド２０は該シリンダブロック２８の上部に結合される。またシリンダブロック２８に設けられるシリンダライナ２９にはピストン３０が摺動自在に嵌合される。
【００１９】
シリンダブロック２８の下部には、前部ケース半体３１および後部ケース半体３２を相互に結合して成るクランクケース３３が、前記シリンダライナ２９の下部をクランクケース３３内に突入せしめるようにして結合されており、鞍乗型車両の前後方向に沿う軸線を有するクランクシャフト１９がクランクケース３３で回転自在に支承され、前記ピストン３０がコンロッド３４およびクランクピン３５を介してクランクシャフト１９に連結される。
【００２０】
前部ケース半体３１には、筒状に形成されて鞍乗型車両の前方側に延びる前部ケーシング３６と、該前部ケーシング３６の前端開口部を閉塞する前部カバー３７とが、前部ケース半体３１との間に前部作動室４０を形成して結合される。また後部ケース半体３２には、該後部ケース半体３２との間に後部作動室４１を形成する後部ケーシング３８が結合され、クランクシャフト１９に対応する部分で後部ケーシング３８に設けられる開口部３８ａを覆う後部カバー３９が後部ケーシング３８に結合される。
【００２１】
クランクシャフト１９および前部ケース半体３１間にはボールベアリング４２が設けられ、クランクシャフト１９および後部ケース半体３２間にはボールベアリング４３が設けられる。また前部ケース半体３１から前部作動室４０側に突出されるクランクシャフト１９の前端はボールベアリング４４を介して前部カバー３７で回転自在に支承される。
【００２２】
パワーユニットＰは、前記エンジンＥと、該エンジンＥのクランクシャフト１９に装着されるトルクコンバータ４５と、複数変速段の歯車列Ｇ１，Ｇ２，Ｇ３，ＧＲを択一的に確立し得る歯車変速機４６と、該歯車変速機４６およびトルクコンバータ４５間での動力伝達を遮断可能な油圧式のクラッチ４７とを備えるものであり、歯車変速機４６から出力される動力は、パワーユニットＰから前方に延びる前部推進軸４８および前部差動装置（図示せず）を介して左、右前輪ＷＦ…に伝達されるとともに、パワーユニットＰから後方に延びる後部推進軸４９および後部差動装置（図示せず）を介して左、右後輪ＷＲ…に伝達される。
【００２３】
図６をさらに併せて参照して、歯車変速機４６は、クランクシャフト１９と平行な軸線を有してクランクケース３３に回転自在に支承される入力軸５０および出力軸５１と、クランクシャフト１９と平行な軸線を有してクランクケース３３に固定される中間軸５２とを備える。
【００２４】
入力軸５０および前部ケース半体３１間にはボールベアリング５４が設けられ、入力軸５０および後部ケース半体３２間にはボールベアリング５５が設けられ、入力軸５０の前端は前部ケース半体３１から前部作動室４０側に突出される。また出力軸５１および前部ケース半体３１間にはボールベアリング５６が設けられ、出力軸５１および後部ケース半体３２間にはボールベアリング５７が設けられ、出力軸５１の後端は後部ケース半体３２から後部作動室４１側に突出される。
【００２５】
歯車変速機４６が備える複数変速段の歯車列Ｇ１，Ｇ２，Ｇ３，ＧＲは、クランクケース３３内に収容される。而して第１速歯車列Ｇ１は、入力軸５０に一体に形成される駆動歯車５７と、出力軸５１に相対回転可能に支承されて前記駆動歯車５７に噛合される被動歯車５８とで構成される。第２速歯車列Ｇ２は、入力軸５０に一体に形成される駆動歯車５９と、出力軸５１に相対回転可能に支承されて前記駆動歯車５９に噛合される被動歯車６０とで構成される。第３速歯車列Ｇ３は、入力軸５０に固定される駆動歯車６１と、出力軸５１に相対回転可能に支承されて前記駆動歯車６１に噛合される被動歯車６２とで構成される。また後進歯車列ＧＲは、前記駆動歯車５９と、中間軸５２で回転自在に支承されて前記駆動歯車５９に噛合される第１中間歯車６３と、第１中間歯車６３と一体である第２中間歯車６４と、出力軸５１に相対回転自在に支承されて第２中間歯車６４に噛合される被動歯車６５とで構成される。
【００２６】
第１速歯車列Ｇ１の被動歯車５８ならびに第３速歯車列Ｇ３の被動歯車６２間で出力軸５１には、１速・３速切換用ドグクラッチ体６６が軸方向の摺動を可能としてスプライン嵌合されており、この１速・３速切換用ドグクラッチ体６６を被動歯車５８に係合させると第１速歯車列Ｇ１が確立し、１・３速切換用ドグクラッチ体６６を被動歯車６２に係合させると第３速歯車列Ｇ３が確立する。また第２速歯車列Ｇ２の被動歯車６０ならびに後進歯車列ＧＲの被動歯車６５間で中間軸５１には、２速・後進切換用ドグクラッチ体６７が軸方向の摺動を可能としてスプライン嵌合されており、この２速・後進切換用ドグクラッチ体６７を被動歯車６０に係合させると第２速歯車列Ｇ２が確立し、２速・後進切換用ドグクラッチ体６７を被動歯車６５に係合させると後進歯車列ＧＲが確立する。
【００２７】
前記１速・３速切換用ドグクラッチ体６６を抱持するシフトフォーク６８と、前記２速・後進切換用ドグクラッチ体６７を抱持するシフトフォーク６９とが、出力軸５１と平行な軸線を有してクランクケース３３に設けられるシフトフォーク軸７０に該シフトフォーク軸７０の軸線方向へのスライドを可能として支持されており、これらのシフトフォーク６８，６９は、シフトドラム７１の外周に設けられたカム溝７１ａ，７１ｂにそれぞれ係合される。
【００２８】
シフトドラム７１の前端部はボールベアリング７２を介して前部ケース半体３１に支持され、シフトドラム７１の後端部は、後部ケース半体３２に直接支持される。而してシフトドラム７１は、該シフトドラム７１の前端部に連結されるシフトチェンジ機構７２で回動されるものであり、このシフトドラム７１の回動によってシフトフォーク６８，６９がスライドすることにより、各歯車列Ｇ１〜Ｇ３，ＧＲの１つが択一的に確立することになる。
【００２９】
シフドドラム７１の回動位置すなわちシフトポジションは、ポテンショメータから成るシフトポジション検出器７３で検出されるものであり、該シフトポジション検出器７３は後部ケーシング３８に固定されてシフトドラム７１の後端に接続される。
【００３０】
後部作動室４１内で出力軸５１の後端には駆動歯車７４が固定される。一方、出力軸５１と平行な軸線を有する駆動軸７５が、前部ケース半体３１との間にボールベアリング７６を介在させるとともに後部ケース半体３２との間にローラベアリング７７を介在させるようにしてクランクケース３３に回転自在に支承されており、後部作動室４１内で駆動軸７５の後部に固定された被動歯車７８に前記駆動歯車７４が噛合される。
【００３１】
駆動軸７５の前端は前部ケース半体３１から前部作動室４０に突入されており、該駆動軸７５の前端に連結軸７９の一端が同軸に連結され、連結軸７９および前部カバー３７間にローラベアリング８０が介装される。而して連結軸７９の他端は前部カバー３７から前方に突出されており、前部推進軸４８が連結軸７９の他端に連結される。また駆動軸７５の後端は後部ケーシング３８との間にシール部材８１を介在させて後部ケーシング３８から後方に突出されており、後部推進軸４９が駆動軸７５の後端に連結される。
【００３２】
後部作動室４１内で前記駆動軸７５の外周には複数の突起８２…が突設されており、後部ケーシング３８には、それらの突起８２…の検出による駆動軸７５の回転数に基づいて車速を検出する車速センサ８３が取付けられる。
【００３３】
図７および図８を併せて参照して、シフトチェンジ機構７２は、シフトドラム７１と平行な軸線を有するシフトスピンドル８７と、該シフトスピンドル８７に固定されるアーム８８と、シフトスピンドル８７の外周に相対回転自在に装着されるカラー８９に固着されるチェンジアーム９０と、前部ケース半体３１に固着されて前記チェンジアーム９０に挿通される規制ピン９１と、チェンジアーム９０を中立位置に復帰せしめるばね力を発揮する第１捩りコイルばね９２と、シフトスピンドル８７の半径方向に沿って制限された範囲での前記チェンジアーム９０との相対移動を可能として該チェンジアーム９０に支持されるシフタプレート９３と、該シフタプレート９３を前記半径方向内方側に付勢するばね力を発揮する第２捩りコイルばね９４と、シフタプレート９３に対向してシフタドラム７１の前端に固定されるとともに６本の送りピン９５…が植設されるピンプレート９６と、該ピンプレート９６の外周に当接される方向にばね付勢されるローラ９７とを備える。
【００３４】
後部ケース半体３２で後端が回転自在に支承されるとともに前部ケース半体３１を回転自在に貫通して前部作動室４０内を前方に延出されるシフトスピンドル８７の前端は、前部ケーシング３７を回転自在に貫通し、前部ケーシング３７に締結されるギヤケース９８にボールベアリング９９を介して支承される。またシフトスピンドル８７および前部ケーシング３７間にはローラベアリング１００およびシール部材１０１が介装される。
【００３５】
チェンジアーム９０には、開口部１０２と、該開口部１０２の外縁部を折り曲げて形成したばね受け部１０３とが設けられており、カラー８９に支持される第１捩じりコイルばね９２の両端部は、チェンジアーム９０が中立位置にある状態では前記ばね受け部１０３の両側に当接する。またアーム８８の先端部８８ａおよび規制ピン９１は、前記第１捩じりコイルばね９２の両端部間で開口部１０２に挿通される。
【００３６】
チェンジアーム９０が中立位置にある状態で、シフトスピンドル８７が正・逆いずれかの方向に回動したときには、アーム８８の先端部８８ａが第１捩りコイルばね９２を撓ませつつ開口部１０２の左、右いずれか一方の側縁に当接してチェンジアーム９０を正・逆いずれかの方向に回動せしめることになり、前記開口部１０２の左、右いずれか他方の側縁が規制ピン９１に当接するまでチェンジアーム９０が回動する。而してこの状態で、シフトスピンドル８７に作用する動力が「０」となると、第１捩りコイルばね９２が発揮するばね力で、アーム８８すなわちシフトスピンドル８７と、チェンジアーム９０とは中立位置に復帰することになる。
【００３７】
シフトスピンドル８７の一半径方向に沿って間隔をあけた２箇所で前記チェンジアーム９０には、ガイドピン１０４，１０５がそれぞれかしめ固定される。一方、シフタプレート９３には、前記ガイドピン１０４，１０５をそれぞれ挿通、係合される長孔１０６，１０７が、前記半径方向に沿って長く延びるように形成される。これにより、シフタプレート９３は、チェンジアーム９０のシフトドラム７１側の面に、前記シフトスピンドル８７の一半径方向に沿う摺動を可能として支持されることになる。
【００３８】
シフタプレート９３の両側にはシフトドラム７１側に折曲げられた送り爪１０８，１０９が設けられており、それらの送り爪１０８，１０９の外側にはカム１１０，１１１が形成される。
【００３９】
第２捩りコイルばね９４は、前記両ガイドピン１０４，１０５のうち外方側のガイドピン１０４に支持されており、この第２捩りコイルばね９４の両端部が、前記シフタプレート９３の両送り爪１０８，１０９に当接されることにより、シフタプレート９３が、チェンジアーム９０に対してシフトスピンドル８７の半径方向に沿う内方側に付勢されることになる。
【００４０】
ピンプレート９６の外周は、周方向に等間隔をあけた６個の凹部９６ａ…を有する星形に形成されており、前記シフタプレート９３の両送り爪１０８，１０９間に２本の送りピン９５，９５が配置されるようにして６本の送りピン９５…がピンプレート９６に植設される。
【００４１】
ローラ９７は、一端が支軸１１２を介して前部ケース半体３１に揺動可能に指示されるアーム１１３の他端に軸支されており、前部ケース半体３１およびアーム１１３間に設けられた第３捩りコイルばね１１４のばね力により、アーム１１３は、ローラ９７をピンプレート９６の外周に当接させる方向に付勢される。
【００４２】
このようなシフトチェンジ機構７２では、シフトスピンドル８７の正・逆いずれかの回動に応じたチェンジアーム９０の正・逆いずれかの方向への回動により、シフタプレート９３の両送り爪１０８，１０９の一方がピンプレート９６の送りピン９５…の１つに係合して、シフトドラム７１が正・逆いずれかに回動駆動される。而して第１捩りコイルばね９２が発揮するばね力でチェンジアーム９０が中立位置に復帰する際には、シフタプレート９３の両送り爪１０８，１０９に形成されるカム１１０，１１１の一方に、ピンプレート９６の送りピン９５…の１つが当接することにより、シフタプレート９３は第２捩りコイルばね９４のばね力に抗してシフトスピンドル８７の半径方向外方に移動し、前記両送り爪１０８，１０９の一方が送りピン９５…の１つを乗り超えることになる。しかもピンプレート９６の回動位置は、ローラ９７がピンプレート９６の外周の凹部８６ａ…の１つに係合することで保持される。
【００４３】
図６に特に注目して、シフトチェンジ機構７２のシフトスピンドル８７には、正・逆いずれの方向にも回転可能である電動モータ１１８が減速歯車列１１９を介して連結される。
【００４４】
電動モータ１１８は、シフトスピンドル８７と平行な軸線を有してギヤケース９８に取付けられ、減速歯車列１１９は、前部カバー３７およびギヤケース９８間に形成されたギヤ室１２０に収納される。
【００４５】
減速歯車列１１９は、電動モータ１１８の出力軸に設けられる第１減速歯車１２１と、第１減速歯車１２１に噛合する第２減速歯車１２２と、第２減速歯車１２２と一体に回転する第３減速歯車１２３と、第３減速歯車１２３に噛合する第４減速歯車１２４と、第４減速歯車１２４と一体に回転する第５減速歯車１２５と、第５減速歯車１２５に噛合してシフトスピンドル８７とともに回動する第６減速歯車１２６とで構成される。
【００４６】
第２および第３減速歯車１２２，１２３は、前部カバー３７およびギヤケース９８で回転自在に支承された第１減速軸１２７に一体に設けられ、第４および第５減速歯車１２４，１２５は、前部カバー３７およびギヤケース９８で回転自在に支承された第２減速軸１２８に一体に設けられる。また第６減速歯車１２６は、セクタ歯車であり、シフトスピンドル８７に固定される。
【００４７】
ギヤケース９８には、ポテンショメータである回転位相検出手段１２９が取付けられており、該回転位相検出手段１２９は、シフトスピンドル８７の前端に接続される。
【００４８】
図４および図６に特に注目して、クラッチ４７は、クランクケース３３から前部作動室４０に突出した入力軸５０の一端部すなわち前端部に装着されるものであり、入力軸５０の軸線まわりに回転するクラッチセンタ１３０と、該クラッチセンタ１３０の外周に相対回転不能に噛合される複数枚の第１クラッチ板１３１…と、第１クラッチ板１３１…に重合配置される複数枚の第２クラッチ板１３２…と、第１および第２クラッチ板１３１…，１３２…を収容するとともに第２クラッチ板１３２…の外周を相対回転不能に噛合せしめて前記入力軸５０と一体に回転するクラッチドラム１３３と、第１および第２クラッチ板１３１…，１３２…を摩擦係合せしめることを可能として前記クラッチドラム１３３に摺動自在に嵌合されるピストン１３４とを備える。
【００４９】
入力軸５０の前端部外周には、該入力軸５０を同軸に囲繞するスリーブ１３５が固定され、クラッチセンタ１３０はスリーブ１３５に相対回転自在に支承され、クラッチドラム１３３はスリーブ１３５に固定される。ピストン１３４は第２クラッチ板１３２…の１つに当接してクラッチドラム１３３に摺動可能に嵌合され、クラッチドラム１３３およびピストン１３４間には油圧室１３６が形成される。またクラッチドラム１３３およびピストン１３４間には戻しばね１３７が設けられており、ピストン１３４は前記戻しばね１３７により油圧室１３６の容積を減少する側にばね付勢される。
【００５０】
前記クラッチセンタ１３０において、クラッチドラム１３３からの突出端部には、トルクコンバータ４５からの動力が伝達される被動歯車１３９が緩衝ばね１３８を介して連結されており、入力軸５０の軸線方向に沿って前記クラッチドラム１３３および前記被動歯車１３９間に対応する位置で、入力軸５０に固定されているスリーブ１３５およびクラッチセンタ１３０間には、入力軸５０からクラッチセンタ１３０への動力伝達を可能とした第１一方向クラッチ１４０が設けられる。
【００５１】
トルクコンバータ４５は、クランクケース３３から前部作動室４０側に突出したクランクシャフト１９の一端部すなわち前端部に装着されるものであり、クランクシャフト１９の軸線方向に沿って前部カバー３７およびクラッチ４７間に対応する位置でクランクシャフト１９にトルクコンバータ４５が装着される。しかも歯車変速機４６の入力軸５０およびクランクシャフト１９間の距離は、クランクシャフト１９の軸線方向から見てトルクコンバータ４５にクラッチ４７の一部が重なるように設定される。
【００５２】
トルクコンバータ４５は、ポンプ１４１、ステータ１４２およびタービン１４３を備える従来周知のものであり、ポンプ１４１はクランクシャフト１９に固定され、ステータ１４２に結合されてクランクシャフト１９を同軸に囲繞する円筒状のステータ軸１４４がクランクシャフト１９に相対回転自在に支承され、タービン１４３に結合されてステータ軸１４４を同軸に囲繞する円筒状のタービン軸１４５が前記ステータ軸１４４に相対回転自在に支承される。
【００５３】
タービン軸１４５には駆動歯車１４６が固着されており、この駆動歯車１４６が、クラッチ４７のクラッチセンタ１３０に連結された被動歯車１３９に噛合される。
【００５４】
クランクケース３３の前部ケース半体３１に固定される支持部材１４７と、前記ステータ軸１４４との間には、ステータ軸１４４およびステータ１４２が一方向に回転することを許容する第２一方向クラッチ１４８が設けられており、前記駆動歯車１４６は、クランクシャフト１９の軸方向に沿って第２一方向クラッチ１４８およびトルクコンバータ４５間に配置される。しかも前記クラッチ４７は、該クラッチ４７が備えるクラッチドラム１３３の少なくとも一部がクランクシャフト１９の軸線方向に沿って第２一方向クラッチ１４８の側方に隣接する配置で、入力軸５０の前端部に装着されている。
【００５５】
またトルクコンバータ４５のポンプ１４１と、駆動歯車１４６が固定されたタービン軸１４５との間には、タービン軸１４５からポンプ１４１への動力伝達が可能な第３一方向クラッチ１５０が設けられる。
【００５６】
図５に特に注目して、クランクケース３３の後部ケース半体３２から後部作動室４１内に突入したクランクシャフト１９の後端には、発電機１５１のロータ１５２が固着され、該発電機１５１のステータ１５３は後部カバー３９に固定される。
【００５７】
前記発電機１５１のロータ１５２に隣接した位置でクランクシャフト１９には図示しないスタータモータに連結される始動歯車１５４が相対回転自在に支承されており、該始動歯車１５４は、第４一方向クラッチ１５５を介して前記ロータ１５２に連結される。これにより、スタータモータを作動せしめて始動歯車１５４を駆動すれば、第４一方向クラッチ１５５およびロータ１５２を介してクランクシャフト１９をクランキングすることができ、そのクランキングによってエンジンＥが始動したときには、第４一方向クラッチ１５５が自由状態となってロータ１５２から始動歯車１５４への動力の伝達が遮断される。
【００５８】
クランクシャフト１９の最後端には、始動輪１５６が固着されており、この始動輪１５６に爪係合可能なリコイルスタータ１５７が後部カバー３９に取付けられる。したがってリコイルスタータ１５７のロープ１５８を牽引操作することによってもクランクシャフト１９をクランキングすることができる。
【００５９】
ロータ１５２の外周には複数の突起１８０…が突設されており、該突起１８０…を検出してクランクシャフト１９の回転数を検出するエンジン回転数センサ１８１が、前記突起１８０…に対向するようにして、後部カバー３９に取付けられる。
【００６０】
図９において、クランクケース３３内の底部に形成されるオイル溜まり１５９に貯溜されるオイルは、クランクシャフト１９で駆動されるスカベンジングポンプ１６１によりストレーナ１６０を介して吸入され、該スカベンジングポンプ１６１から吐出されるオイルは、オイルクーラ１６２を介してオイル溜まり１５９に戻され、スカベンジングポンプ１６１およびオイルクーラ１６２間には第１リーフ弁１６３が接続される。
【００６１】
油圧式のクラッチ４７は、歯車変速機４６を変速駆動する電動モータ１１８とは独立したアクチュエータ１６４で駆動されるものであり、このアクチュエータ１６４は、クランクシャフト１９で駆動される油圧ポンプ１６５と、該油圧ポンプ１６５の吐出圧を制御してクラッチ４７の油圧室１３６に作用せしめるクラッチ用制御弁１６６とを備える。
【００６２】
オイル溜まり１５９に貯溜されたオイルはストレーナ１６０を介して油圧ポンプ１６５で吸引され、該油圧ポンプ１６５から吐出されるオイルは、第２リリーフ弁１６７およびオイルフィルタ１６８を介してクラッチ用制御弁１６６に供給される。
【００６３】
クラッチ用制御弁１６６は、入力ポート１６９および出力ポート１７０を有する弁ハウジング１７１と、入力ポート１６９および出力ポート１７０間の連通・遮断を切換え可能として弁ハウジング１７１に摺動自在に嵌合されるスプール１７２と、スプール１７２および弁ハウジング１７１間に設けられるばね１７３と、該スプール１７２に同軸に連接されるリニアソレノイド１７４とを備え、入力ポート１６９はオイルフィルタ１６８に接続され、出力ポート１７０はクラッチ４７の油圧室１３６に接続される。
【００６４】
弁ハウジング１７１は両端を開放した摺動孔１７５を有するものであり、摺動孔１７５の一端を閉塞したキャップ１７６と、摺動孔１７５に摺動可能に嵌合されるスプール１７２の一端との間にばね１７３が設けられ、摺動孔１７５の他端を閉塞するようにして弁ハウジング１７１に締結されるリニアソレノイド１７４のロッド１７４ａがスプール１７２の他端に同軸に当接される。
【００６５】
前記ばね１７３は、入力ポート１６９および出力ポート１７０間を連通する側に前記スプール１７２をばね付勢し、入力電流に応じた推力を発揮するリニアソレノイド１７４からの推力は、入力ポート１６９および出力ポート１７０間を遮断する側に前記スプール１７２を移動せしめるようにロッド１７４ａからスプール１７２に付与される。
【００６６】
しかも弁ハウジング１７１およびスプール１７２間には、出力ポート１７０の圧力を作用せしめる環状の圧力室１７６が形成されており、該圧力室１７６にリニアソレノイド１７４側から臨むスプール１７２の受圧面積は、前記圧力室１７６にばね１７３側から臨むスプール１７２の受圧面積よりも小さく設定される。したがって圧力室１７６の油圧は、入力ポート１６９および出力ポート１７０間を連通する側に前記スプール１７２を移動せしめるように該スプール１７２に作用することになる。
【００６７】
このようなクラッチ用制御弁１６６によれば、リニアソレノイド１７４の入力電流が大となるにつれて低圧となるように、油圧ポンプ１６５の油圧が制御されて出力ポート１７０から出力される。
【００６８】
クラッチ用制御弁１６６の弁ハウジング１７１は、図４で示すように、クラッチ４７にほぼ対応する位置で前部カバー３７の外面側に取付けられており、クラッチ４７の油圧室１３６に通じて入力軸５０の前端部に同軸に設けられる油路１７７と、前記クラッチ用制御弁１６６の出力ポート１７０に通じて前部カバー３７に設けられた油路１７８とを結ぶ給油管１７９が、入力軸５０の前端部および前部カバー３７間に設けられ、該給油管１７９は、前記トルクコンバータ４５の側方で入力軸５０と同軸に延びるように配置される。
【００６９】
クラッチ用制御弁１６６の出力ポート１７０にはアキュムレータ１８３が接続されており、該アキュムレータ１８３は、固定のハウジング１８４と、出力ポート１７０に通じる環状の蓄圧室１８５をハウジング１８４との間に形成してハウジング１８４に摺動可能に嵌合されるアキュムレータピストン１８６と、前記蓄圧室１８５の容積を増大する側のばね力を発揮してハウジング１８４およびアキュムレータピストン１８６間に設けられるばね１８７とを備える。また前記蓄圧室１８５の容積を縮少する側に前記アキュムレータピストン１８６を付勢する油圧力を発揮し得るパイロット室１８８がアキュムレータピストン１８６およびハウジング１８４間に形成され、該パイロット室１８８は第１オリフィス１８９を介して前記クラッチ用制御弁１６６の出力ポート１７０に接続される。
【００７０】
このようなアキュムレータ１８３は、発生トルクの大きい車両に有効に用いられるものであり、クラッチ用制御弁１６６による制御油圧の変化をアキュムレータ１８３で緩和し、クラッチ４７の変速ショックを緩和することができる。
【００７１】
またクラッチ用制御弁１６６の出力ポート１７０には、該出力ポート１７０の油圧低下に応じて開弁してクラッチ４７における油圧室１３６のオイルをオイル溜まり１５９に排出する開閉弁１９０が接続されており、この開閉弁１９０の働きにより、クラッチ４７が動力伝達を遮断する側に速やかに作動することができる。
【００７２】
オイルフィルタ１６８の出口は、前記クラッチ用制御弁１６６の入力ポート１６９に接続されるとともに、トルクコンバータ用制御弁１９１の入力ポート１９２に接続される。
【００７３】
このトルクコンバータ用制御弁１９１は、入力ポート１９２および出力ポート１９３を有する弁ハウジング１９４と、入力ポート１９２および出力ポート１９３間の連通・遮断を切換え可能として弁ハウジング１９４に摺動可能に嵌合されるスプール１９５と、入力ポート１９２および出力ポート１９３間を連通させる方向にスプール１９５を付勢するばね力を発揮して弁ハウジング１９４およびスプール１９５の一端間に設けられるばね１９６とを備える。また入力ポート１９２および出力ポート１９３間を遮断する方向にスプール１９５を付勢する油圧力を発揮するパイロット室１９８が、弁ハウジング１９４に装着されたキャップ１９７および前記スプール１９５の他端間に形成され、該パイロット室１９８は入力ポート１９２に連通される。
【００７４】
このようなトルクコンバータ用制御弁１９１によれば、油圧ポンプ１６５の出力油圧が一定に制御されて出力ポート１９３から出力されることになる。
【００７５】
該トルクコンバータ用制御弁１９１の弁ハウジング１９４は、図４で示すように、クランクシャフト１９にほぼ対応する位置で前部カバー３７に取付けられ、トルクコンバータ４５内に通じてクランクシャフト１９に設けられる油路１９９に、前部カバー３７に設けられた第２オリフィス２００を介して前記出力ポート１９３が接続される。またクランクシャフト１９にはトルクコンバータ４５から排出されるオイルをクランクピン３５側に導く油路２０１が設けられる。
【００７６】
前記トルクコンバータ用制御弁１９１の出力ポート１９３に通じる油路２０２が前部カバー３７および前部ケーシング３６に設けられており、前部カバー３７および前部ケーシング３６間に挟持される第３オリフィス２０３が前記油路２０２に介設される。また前記油路２０２は第４オリフィス２０４を介してシリンダヘッド２０内の油路（図示せず）に接続されるとともに、後部ケーシング３８に設けられた油路２０５（図５参照）に接続されており、該油路２０５は、歯車変速機４６の出力軸５１に設けられた油路２０６に第５オリフィス２０７を介して接続される。さらに前記油路２０２のオイルは、クラッチ４７内に第６オリフィス２０８を介して供給される。
【００７７】
歯車変速機４６を変速駆動する電動モータ１１８と、前記クラッチ用制御弁１６６のリニアソレノイド１７４とは、歯車変速機４６の変速作動に連動して前記クラッチ４７を断・接作動せしめるようにして制御ユニット２０８で制御されるものであり、該制御ユニット２０８には、シフト位置を「Ｌ」，「Ｄ」，「Ｎ」，「Ｒ」の４つに切換えて操作可能なセレクトレバー２０９の操作位置を検出するセレクト位置検出器２１０の検出信号と、セレクトレバー２０９を「Ｄ」位置としたときの歯車変速機４６の変速段を切換えるために操作可能なパワーボタン２１１のオン・オフ信号と、エンジンＥのスロットル開度を検出するスロットルセンサ２１２の検出信号と、シフトポジション検出器７３、車速センサ８３、回転位相検出手段１２９およびエンジン回転数センサ１８１の検出信号とが入力される。
【００７８】
而して制御ユニット２０８は、セレクトレバー２０９で「Ｌ」位置を選択したときには歯車変速機４６の第１速変段Ｇ１を確立せしめるように電動モータ１１８を制御し、セレクトレバー２０９で「Ｄ」位置を選択するとともにパワーボタン２１１がオフ状態にあるときには歯車変速機４６の第２速変段Ｇ２を確立せしめるように電動モータ１１８を制御し、セレクトレバー２０９で「Ｄ」位置を選択するとともにパワーボタン２１１がオン状態にあるときには歯車変速機４６の第３速変段Ｇ３を確立せしめるように電動モータ１１８を制御し、セレクトレバー２０９で「Ｎ」位置を選択したときには歯車変速機４６で各変速段Ｇ１〜Ｇ３，ＧＲのいずれもが確立しないように電動モータ１１８を制御し、さらにセレクトレバー２０９で「Ｒ」位置を選択したときには歯車変速機４６で後進歯車列ＧＲを確立せしめるように電動モータ１１８を制御する。
【００７９】
また制御ユニット２０８は、セレクトレバー２０９で「Ｌ」，「Ｄ」，「Ｒ」位置を選択しているときには、クラッチ４７が動力伝達状態となるようにリニアソレノイド１７４を制御するが、セレクトレバー２０９で「Ｎ」位置を選択しているときには、クラッチ４７が動力遮断状態となるようにリニアソレノイド１７４を制御する。
【００８０】
しかもセレクトレバー２０９が「Ｌ」，「Ｄ」，「Ｎ」，「Ｒ」の各位置の選択を切換えるように作動したときにクラッチ４７を動力遮断状態から動力伝達状態に切換える際に、制御ユニット２０８は、スロットルセンサ２１２、シフトポジション検出器７３、車速センサ８３およびエンジン回転数センサ１８１の検出信号を勘案して、リニアソレノイド１７４への入力電流すなわちクラッチ４７の油圧を制御する。
【００８１】
次にこの第１実施例の作用について説明すると、歯車変速機４６が電動モータ１１８で変速駆動されるのに対し、クラッチ４７が、前記電動モータ１１８とは独立したアクチュエータ１６４で駆動されるので、歯車変速機４６およびクラッチ４７間がリンク機構等で機械的に連結されるものに比べると、エンジンＥの排気量が大となるのに伴なってクラッチ４７の荷重が増大しても、リンク機構等の剛性を増大することが不要であり、重量増加を回避することができる。またクラッチ４７の荷重が歯車変速機４６でのシフト荷重やシフト作動ストロークに影響を及ぼすことはないので、変速操作性を向上することが可能である。
【００８２】
また前記歯車変速機４６は、クランクケース３３に回転自在に支承される入力軸５０を備えるものであり、クランクケース３３から突出した入力軸５０の前端部に、油圧で作動するクラッチ４７が装着され、アクチュエータ１６４の一部を構成するクラッチ用制御弁１６６が、クラッチ４７およびトルクコンバータ４５を覆ってクランクケース３３に結合される前部カバー３７に設けられているので、クラッチ４７およびクラッチ用制御弁１６６を相互に近い位置に配置して、クラッチ用制御弁１６６の作動によるクラッチ４７の作動応答性を向上することができる。
【００８３】
さらにトルクコンバータ４５がクランクシャフト１９の前端部に設けられ、トルクコンバータ４５に作用せしめる油圧を制御するトルクコンバータ用制御弁１９１が前部カバー３７に設けられているので、クラッチ用制御弁１６６およびトルクコンバータ用制御弁１９１をともに前部カバー３７に設けるようにして、両制御弁１６６，１９１での圧洩れ検査を前部カバー３７側で集中して行なうことができ、生産性の向上に寄与することができる。
【００８４】
しかもクラッチ用制御弁１６６は、クラッチ４７の油圧室１３６に通じる出力ポート１７０からの出力油圧をリニアソレノイド１７４への入力電流に応じた値に制御可能に構成されるので、クラッチ４７に作用する油圧を、リニアソレノイド１７４への入力電流制御によって制御することができる。したがってクラッチ４７に作用せしめる油圧の制御により、該クラッチ４７の作動特性を変化させることができ、その作動特性変化により第１および第２クラッチ板１３１…，１３２…の摩耗分を補償することができるので、クラッチ４７にアジャスタ機構を設けることが不要となる。
【００８５】
またクラッチ用制御弁１６６が備えるリニアソレノイド１７４の作動、ならびに電動モータ１１８の作動は制御ユニット２０８で制御されるものであり、クラッチ用制御弁１６６および電動モータ１１８をともに電気的に制御するようにして、歯車変速機４６の変速作動に連動してクラッチ４７を作動せしめることが容易となるとともに、歯車変速機４６を電動モータ１１８で変速駆動せしめるのに連動してクラッチ４７を自動的に断・接作動せしめることができ、クラッチ４７の作動特性を変化させることができるので、クラッチ４７での変速ショックの緩和を図ることができる。
【００８６】
またクランクシャフト１９の軸線方向に沿ってトルクコンバータ４５からずれた位置に配置されるクラッチ４７が、クランクシャフト１９の軸線方向から見てトルクコンバータ４５に一部を重ねるようにして入力軸５０の前端部に装着されるので、クランクケース３３内に歯車変速機４６が収容されるように構成した動力伝達装置を、クランクシャフト１９の軸線に沿う方向でコンパクト化することが可能である。しかもクラッチ４７を、クランクシャフト１９側に近接させて配置することができ、クランクシャフト１９の軸線に直交する方向での動力伝達装置の大型化も抑えることができる。
【００８７】
トルクコンバータ４５およびクラッチ４７を覆ってクランクケース３３に結合される前部カバー３７と、入力軸５０の一端部との間にはトルクコンバータ４５の側方で前記入力軸５０と同軸に延びる給油管１７９が設けられており、トルクコンバータ４５の側方に生じるスペースを有効に活用してクラッチ４７への作動油給油系を構成することができる。
【００８８】
しかもクラッチ４７が、被動歯車１３９が連結されるクラッチセンタ１３０と、該クラッチセンタ１３０の外周に相対回転不能に噛合される第１クラッチ板１３１…と、第１クラッチ板１３１…に重合配置される第２クラッチ板１３２…と、第１および第２クラッチ板１３１…，１３２…を収容するとともに第２クラッチ板１３２…の外周を相対回転不能に噛合せしめて入力軸５０と一体に回転するクラッチドラム１３３と、第１および第２クラッチ板１３１…，１３２…を摩擦係合せしめる油圧力を発揮可能として前記クラッチドラム１３３に摺動自在に嵌合されるピストン１３４とを備えるものであり、比較的大径のクラッチドラム１３３を有するクラッチ４７を、クランクシャフト１９の軸線に沿ってトルクコンバータ４５に隣接する位置で被動歯車１３９およびクラッチドラム１３３がクランクシャフト１９に干渉しないようにして効果的に配置することができる。
【００８９】
またクラッチセンタ１３０および入力軸５０間に、入力軸５０からクラッチセンタ１３０への動力伝達を可能とした第１一方向クラッチ１４０が設けられているので、エンジンブレーキ時に歯車変速機４６側からの動力をトルクコンバータ４５側に伝達することができ、さらにエンジンブレーキ時の歯車変速機４６側からの動力は、第３一方向クラッチ１５０によりトルクコンバータ４５を迂回してクランクシャフト１８に伝達される。
【００９０】
さらにトルクコンバータ４５のステータ１４２が一方向に回転することを許容する第２一方向クラッチ１４８がステータ１４２およびクランクケース３３間に設けられ、トルクコンバータ４５のタービン１４３と一体に回転する駆動歯車１４６が、クランクシャフト１９の軸方向に沿って前記第２一方向クラッチ１４８および前記トルクコンバータ４５間に配置され、前記クラッチドラム１３３の少なくとも一部が前記クランクシャフト１９の軸線方向に沿って前記第２一方向クラッチ１４８の側方に隣接する配置で、クラッチ４７が入力軸５０の前端部に装着されている。したがって第２一方向クラッチ１４８でステータ１４２の空転を許容するようにしてトルクコンバータ４５の効率を向上することが可能となり、しかもクラッチドラム１３３の少なくとも一部に対応して該クラッチドラム１３３およびクランクシャフト１９間に生じるスペースに、比較的小径である第２一方向クラッチ１４８を有効に配置することができる。
【００９１】
図１０は本発明の第２実施例を示すものであり、発生トルクが比較的小さい車両の適用にあたっては、アキュムレータ１８３および開閉弁１５０を省略することが可能であり、またトルクコンバータ用制御弁１９１に代えて第６オリフィス２１５を用いることも可能である。
【００９２】
以上、本発明の実施例を詳述したが、本発明は上記実施例に限定されるものではなく、特許請求の範囲に記載された本発明を逸脱することなく種々の設計変更を行なうことが可能である。
【００９３】
たとえば本発明は、不整地走行用鞍乗型車両だけでなく、トルクコンバータと、複数変速段の歯車列を択一的に確立し得る歯車変速機と、該歯車変速機の入力軸および前記トルクコンバータのタービン間での動力伝達を遮断可能なクラッチとを備える車両の動力伝達装置に関連して広く適用可能である。
【００９４】
また上記実施例では、クラッチ４７が入力軸５０の前端部に装着され、トルクコンバータ４５がクランクシャフト１９の前端部に装着されていたが、車両の前後方向に沿う入力軸５０の後端部にクラッチ４７が装着され、車両の前後方向に沿うクランクシャフト１９の後端部トルクコンバータ４５が装着される動力伝達装置にも本発明を適用可能である。
【００９５】
【発明の効果】
以上のように請求項１記載の発明によれば、相互に平行であるクランクシャフトおよび入力軸の、クランクケースから突出した各一端部にトルクコンバータおよびクラッチが、クランクシャフトの軸線方向で相互にずれた位置でそれぞれ装着されるので、クランクケース内に歯車変速機が収容されるように構成した動力伝達装置を、クランクシャフトの軸線に沿う方向でコンパクト化することが可能であり、しかもクラッチをクランクシャフト側に近接させて配置できるので、クランクシャフトの軸線に直交する方向での動力伝達装置の大型化も抑えることができる。
【００９６】
また請求項２記載の発明によれば、上記クラッチに給油すべくトルクコンバータの側方で入力軸と同軸に直線状に延びる給油管が、トルクコンバータおよびクラッチを覆ってクランクケースに結合されるカバーと、入力軸の一端部との間に設けられるので、トルクコンバータの側方に生じるスペースを有効に活用してクラッチへの作動油給油系を構成することができる。
【００９７】
請求項３記載の発明によれば、クラッチおよびクラッチ用制御弁が相互に近い位置に配置されることになり、クラッチ用制御弁の作動によるクラッチの作動応答性を向上することができる。
【００９８】
請求項４記載の発明によれば、比較的大径となるクラッチドラムを有するクラッチを、クランクシャフトの軸線に沿って前記トルクコンバータに隣接する位置でクラッチドラムがクランクシャフトに干渉しないようにして効果的に配置することができる。
【００９９】
請求項５記載の発明によれば、エンジンブレーキ時に歯車変速機側からの動力をトルクコンバータ側に伝達することができる。
【０１００】
さらに請求項６記載の発明によれば、第２一方向クラッチでステータの空転を許容するようにしてトルクコンバータの効率を向上することが可能となり、しかもクラッチドラムの少なくとも一部に対応して該クラッチドラムおよびクランクシャフト間に生じるスペースに、比較的小径である第２一方向クラッチを有効に配置することができる。
【図面の簡単な説明】
【図１】  第１実施例での不整地走行用鞍乗型車両の側面図である。
【図２】  図１の２矢視方向から見たパワーユニットの簡略化した拡大図である。
【図３】  図１の３矢視方向から見たパワーユニットの簡略化した拡大図である。
【図４】  図２のＡ−Ａ線に沿う断面のうち前半部を示す断面図である。
【図５】  図２のＡ−Ａ線に沿う断面のうち後半部を示す断面図である。
【図６】  図２の６−６線断面図である。
【図７】  図６の７−７線拡大断面図である。
【図８】  シフトチェンジ機構の一部の分解斜視図である。
【図９】  油圧回路図である。
【図１０】  第２実施例の図９に対応した油圧回路図である。
【符号の説明】
１９・・・クランクシャフト
３３・・・クランクケース
３７・・・前部カバー
４５・・・トルクコンバータ
４６・・・歯車変速機
４７・・・クラッチ
５０・・・入力軸
１３０・・・クラッチセンタ
１３１・・・第１クラッチ板
１３２・・・第２クラッチ板
１３３・・・クラッチドラム
１３４・・・ピストン
１３６・・・油圧室
１３９・・・被動歯車
１４０・・・第１一方向クラッチ
１４１・・・ポンプ
１４２・・・ステータ
１４３・・・タービン
１４６・・・駆動歯車
１４８・・・第２一方向クラッチ
１６６・・・クラッチ用制御弁
１７７・・・入力軸内の油路
１７８・・・カバー内の油路
１７９・・・給油管
Ｅ・・・・・エンジン
Ｇ１〜Ｇ３，ＧＲ・・歯車列
【図１】
0004555418.tif 000002
【図２】
0004555418.tif 000003
【図３】
0004555418.tif 000004
【図４】
0004555418.tif 000005
【図５】
0004555418.tif 000006
【図６】
0004555418.tif 000007
【図７】
0004555418.tif 000008
【図８】
0004555418.tif 000009
【図９】
0004555418.tif 000010
【図１０】
0004555418.tif 000011